(57)【要約】【課題】筐体内に同様の構成の複数のカードが装着されるカード実装構造において、カードと筐体の外線コネクタとをプラグイン構造で接続すること。【解決手段】カード２４の高さを従来のおよそ半分とし、プリント板６１の反り防止部材６４を前板６２および後板６３と一体化した構造とする。前板６２にカードプラを取り付け、後板６３にプラグインコネクタ６６，６７を取り付ける。筐体２１を上下の２段構成とし、各段に６枚ずつカード２４を装着し、プラグインコネクタ６６，６７を、バックボード３９の接続用貫通孔５０を通して外線コネクタ３８の、筐体２１内に露出する部分５３に接続する。【選択図】図９
2008047727.tif 000002
【特許請求の範囲】
【請求項１】
配線パターンおよび電子部品を有するプリント板と、
前記プリント板の前端に同プリント板に対して垂直に取り付けられた前板と、
前記プリント板の後端に同プリント板に対して垂直に取り付けられた後板と、
前記プリント板の長辺に沿って取り付けられた反り防止部材と、
を備え、
前記反り防止部材の前端部および後端部がそれぞれ前記前板および前記後板に支持されており、
筐体の外線コネクタにプラグイン構造で接続される複数のプラグインコネクタが前記後板に設けられていることを特徴とするカード。
【請求項２】
第１のプラグインコネクタは、前記後板の、前記プリント板に近い位置に設けられており、
第２のプラグインコネクタは、前記後板の、前記プリント板から離れた位置で、かつ前記第１のプラグインコネクタと異なる高さ位置に設けられていることを特徴とする請求項１に記載のカード。
【請求項３】
挿抜レバーが前記反り防止部材に取り付けられていることを特徴とする請求項１または２に記載のカード。
【請求項４】
筐体のバックボードの位置決め用貫通孔に通されるガイドピンが前記後板に設けられていることを特徴とする請求項１〜３のいずれか一つに記載のカード。
【請求項５】
複数のカードを横一列に並べて収納する上段の棚を構成する第１の上板および第１の下板と、
複数のカードを横一列に並べて収納する下段の棚を構成する第２の上板および第２の下板と、
前記第１の上板、前記第１の下板、前記第２の上板および前記第２の下板の各両端を支持する一対の側板と、
前記上段の棚および前記下段の棚の背面を塞ぐ背面板と、
前記背面板に露出する複数の外線コネクタと、
前記背面板の近くに配置されるバックボードと、
を備え、
カードの後端から突出して前記外線コネクタに接続されるプラグインコネクタを通す接続用貫通孔が前記バックボードに設けられていることを特徴とする筐体。
【請求項６】
前面開口部から棚内にカードを挿入する際の案内レールが、前記第１の上板、前記第１の下板、前記第２の上板および前記第２の下板のそれぞれ一部を折り曲げることにより形成されていることを特徴とする請求項５に記載の筐体。
【請求項７】
前記上段の棚および前記下段の棚のそれぞれの前端部の、前記案内レールの延長上に、カードの挿入位置を決める位置決めガイドが設けられていることを特徴とする請求項６に記載の筐体。
【請求項８】
カードの後端から突出するガイドピンを通す位置決め用貫通孔が前記バックボードに設けられていることを特徴とする請求項５〜７のいずれか一つに記載の筐体。
【請求項９】
前記請求項５〜７のいずれか一つに記載の筐体に前記請求項１〜３のいずれか一つに記載のカードを装着したカード実装構造であって、
前記カードのプラグインコネクタが、前記筐体のバックボードの接続用貫通孔を通って前記外線コネクタにプラグイン構造で接続されていることを特徴とするカード実装構造。
【請求項１０】
前記請求項８に記載の筐体に前記請求項４に記載のカードを装着したカード実装構造であって、
前記カードのガイドピンが、前記筐体のバックボードの位置決め用貫通孔に通されているとともに、
前記カードのプラグインコネクタが、前記筐体のバックボードの接続用貫通孔を通って前記外線コネクタにプラグイン構造で接続されていることを特徴とするカード実装構造。
【発明の詳細な説明】
【技術分野】
【０００１】
この発明は、カード、筐体およびカード実装構造に関し、特に、筐体に複数のカードを着脱可能に実装してなる装置に用いられるカードおよび筐体、並びにその筐体に対するカードの実装構造に関する。
【背景技術】
【０００２】
一般に、無線通信装置においては、筐体に複数のカードが着脱可能に実装される。図１１は、従来のカード実装構造の概略を示す模式図であり、装置の背面側から見た図である。図１１に示すように、従来のカード実装構造では、筐体１に例えば１２枚のカード２が立てられた状態で横一列に並んで実装される。図１１には、各カード２の収納空間３が仮想線（二点鎖線）で区切られて示されているが、実際には、隣り合う収納空間３の間に仕切り板があるわけではない。
【０００３】
説明の便宜上、隣り合う収納空間３のうち、一方を第１の収納空間３ａとし、他方を第２の収納空間３ｂとする。第１の収納空間３ａと第２の収納空間３ｂは、交互に６個ずつ配置されている。図１１において、符号４は、図示しないケーブルを介して外部の装置との接続に供される外線コネクタである。外線コネクタ４は、装置の背面板に露出して設けられており、各収納空間３の上下に１個ずつ、すなわち各収納空間３に２個ずつ配置されている。
【０００４】
ここで、第１の収納空間３ａの２個の外線コネクタのうち、上側を第１の上外線コネクタ４ａとし、下側を第１の下外線コネクタ４ｂとする。また、第２の収納空間３ｂの２個の外線コネクタについても同様に、上側を第２の上外線コネクタ４ｃとし、下側を第２の下外線コネクタ４ｄとする。これら第１および第２の各上下の外線コネクタ４ａ，４ｂ，４ｃ，４ｄの配置には、次のような制約がある。
【０００５】
第１の下外線コネクタ４ｂ（第１の上外線コネクタ４ａ）の中心と第２の下外線コネクタ４ｄ（第２の上外線コネクタ４ｃ）の中心との距離ｘ、第２の上外線コネクタ４ｃの中心と第１の下外線コネクタ４ｂの中心との距離ｙ、および第１の下外線コネクタ４ｂ（第１の上外線コネクタ４ａ）の中心と第２の下外線コネクタ４ｄ（第２の上外線コネクタ４ｃ）の中心との距離ｚは、それぞれ、ユーザが外線コネクタ４ａ，４ｂ，４ｃ，４ｄにケーブルを接続しやすいように設定される。図１１に示すように、外線コネクタ４の配置が千鳥状である場合に、装置が最も小型になる。
【０００６】
図１２は、従来のカードの構造およびカードと外線コネクタとの接続構造の概略を示す模式図である。図１２に示すように、従来のカード２は、配線パターンが形成され、電子部品が実装されたプリント板５に、筐体１への着脱および固定に用いられるカードプラ６（挿抜レバー、またはイジェクタともいう）と帯状の反り防止金具７が取り付けられた構成となっている。プリント板５の後端には、外線コネクタ４ａ，４ｂ，４ｃ，４ｄとの接続に供される２個の接続端子８ａ，８ｂが設けられている。
【０００７】
筐体１の第１の収納空間３ａと第２の収納空間３ｂに装着されるカード２の構造は同じであるため、接続端子８ａ，８ｂの高さ位置を、第１の収納空間３ａの上下の外線コネクタ４ａ，４ｂの高さ位置と、第２の収納空間３ｂの上下の外線コネクタ４ｃ，４ｄの高さ位置の両方に合わせることはできない。つまり、接続端子８ａ，８ｂと、第１の収納空間３ａの上下の外線コネクタ４ａ，４ｂおよび第２の収納空間３ｂの上下の外線コネクタ４ｃ，４ｄとを、直接、接続することができない。
【０００８】
そのため、従来の装置では、接続端子８ａ，８ｂと外線コネクタ４ａ，４ｂ，４ｃ，４ｄとの接続に、ケーブル９ａ，９ｂが用いられている。図１２では、カード２が第１の収納空間３ａまたは第２の収納空間３ｂに装着された場合のケーブル９ａ，９ｂが、それぞれ、実線または二点鎖線で示されている。
【０００９】
図１３は、従来の筐体の要部を示す斜視図であり、筐体の下板の一部を示す図である。図１３に示すように、従来の筐体１では、縦断面形状がＵ字状をなす樹脂製のレール１０が、下板１１の上面および図示しない上板の下面に取り付けられている。このレール１０は、筐体１の前面開口部から奥の背面板へ向かって伸びており、カード２（図１３に二点鎖線で示す）を収納空間３内へ挿入する際の案内となる。
【００１０】
ところで、カードの接続端子と筐体の外線コネクタとを、ケーブルを用いずに接続する構成が提案されている。例えば、基板の両面に貫通するコンタクトピンからなるバックボードコネクタを実装したバックボードと、配線パターンを形成した基板のそれぞれ両側端に、シートコネクタと外線接続用コネクタを実装した接続シートを備え、前記接続シートのシートコネクタを前記バックボードコネクタの片側に差し込み、前記外線接続用コネクタを介して外線ケーブルと接続することを特徴とするプラグインシートのシェルフが公知である（例えば、特許文献１参照。）。
【００１１】
また、筐体に設けられた複数対のガイドレールにそれぞれ複数枚のプリント板の両側部を案内させて挿入して該プリント板の先端に設けられたコネクタを前記筐体内底部のマザープリント板に設けられたプリント板接続用コネクタに接続し、該各プリント板をそれぞれ外線接続用コネクタを介し外線ケーブルに接続してなる電子機器において、以下のようなプリント板実装構造が公知である。このプリント板実装構造は、底板の両側に筐体に固定するための第１の側板と、先端に前記底板に平行なガイド部を有する第２の側板とを一体に形成したほぼＰ字型プリント板保持金具を設け、該プリント板保持金具の底板をプリント板の一方の側端の一面に固定するとともに、前記プリント板の一方の側端の他面に外線接続用コネクタを接続固定してなり、前記プリント板の前記筐体内への挿入は、該プリント板の他端部および該プリント板に固定された前記プリント板保持金具のガイド部を前記対のガイドレールに案内させることにより行われ、挿入を完了した前記プリント板の固定は、該プリント板に固定された前記プリント板保持金具の第１の側板を前記筐体に取り付けることにより行われるように構成されたことを特徴とする（例えば、特許文献２参照。）。
【００１２】
【特許文献１】特開昭６３−４３３９９号公報（第１図および第２図）
【特許文献２】実開昭５８−５１４８２号公報（第４図〜第８図）
【発明の開示】
【発明が解決しようとする課題】
【００１３】
しかしながら、上述した従来の、カードの接続端子と筐体の外線コネクタとを、ケーブルを用いて接続する構成（以下、ケーブル接続構成とする）では、装置を組み立てる際に、カードの後端と筐体の背面板との間の幅７ｃｍ程度の狭い空間に作業者が手を差し入れて、カードの接続端子と筐体の外線コネクタとをケーブルで接続する必要がある。カード１枚あたり２本のケーブルが必要であるから、１２枚のカードを装着するタイプの場合、その狭い空間内に少なくとも２４本のケーブルを互いに干渉しないように配線する必要がある。そのため、装置の組み立てに多大な時間を要すという問題点がある。
【００１４】
また、上述した従来のケーブル接続構成では、プリント板にカードプラと反り防止金具を別々に取り付ける必要があるため、プリント板に対するカードプラや反り防止金具の取り付け位置の誤差が大きくなりやすい。これは、安価で高品質な製品を実現する際の妨げとなる。
【００１５】
さらに、従来のカード実装構造では、複数枚のカードが横一列に並ぶ一段構成であるため、隣り合うカードとカードの間が狭い。そのため、装置の稼働時に、装置内の温度が上昇しやすいという欠点がある。さらにまた、従来のカード実装構造では、筐体の上板および下板にそれぞれレールが設けられているため、筐体の上板と下板を、プリント板の高さ寸法にレールの厚みの２倍の寸法を加えた距離だけ離す必要がある。これは、装置の小型化を図る際の妨げとなる。
【００１６】
この発明は、上述した従来技術による問題点を解消するため、カードと筐体の外線コネクタとをプラグイン構造で接続することにより、短時間で容易に装置を組み立てることができるカード実装構造を提供することを目的とする。また、この発明は、稼働時の装置内の温度上昇を抑えることができるカード実装構造を提供することを目的とする。さらに、この発明は、装置の小型化を図ることができるカード実装構造を提供することを目的とする。さらにまた、この発明は、そのようなカード実装構造を実現できる安価で高品質なカードおよび筐体を提供することを目的とする。
【課題を解決するための手段】
【００１７】
上述した課題を解決し、目的を達成するため、本発明にかかるカードは、以下の構成を特徴とする。前板および後板が、それぞれ、プリント板の前端および後端にプリント板に対して垂直に取り付けられている。また、反り防止部材が、プリント板の長辺に沿って取り付けられている。そして、反り防止部材は、前板および後板により支持されており、前板および後板と一体化されている。カードプラは、前板に位置し、反り防止部材に取り付けられている。
【００１８】
複数のプラグインコネクタは、後板に設けられている。各プラグインコネクタは、筐体の外線コネクタにプラグイン構造で接続される。１枚のカード当たり第１および第２の２個のプラグインコネクタが割り当てられる。そのうち、第１のプラグインコネクタは、後板の、プリント板に近い位置に設けられている。第２のプラグインコネクタは、後板の、プリント板から離れた位置で、かつ第１のプラグインコネクタと異なる高さ位置に設けられている。
【００１９】
また、本発明にかかる筐体は、以下の構成を特徴とする。筐体は、上下２段構成になっている。上段の棚および下段の棚には、それぞれ、例えば従来の筐体に装着されるカード枚数の半分ずつが装着される。上段の棚を構成する第１の上板および第１の下板と、下段の棚を構成する第２の上板および第２の下板は、それぞれ、一対の側板により支持されている。
【００２０】
筐体の前面側は、カードを着脱するための開口部になっている。筐体の背面側は、複数の外線コネクタを有する背面板により塞がれている。背面板の近くには、バックボードが配置されている。このバックボードには、接続用貫通孔が設けられている。接続用貫通孔には、カードの後端から突出するプラグインコネクタが通される。各段の棚の上板および下板には、それぞれ、前面開口部から棚内にカードを挿入する際の案内レールが設けられている。この案内レールは、上板または下板の一部を折り曲げることにより形成されている。
【００２１】
また、本発明にかかるカード実装構造は、上述した構成の筐体に上述した構成のカードを装着した構造である。カードのプラグインコネクタは、筐体のバックボードの接続用貫通孔を通って外線コネクタにプラグイン構造で接続されている。
【００２２】
この発明によれば、カードと筐体の外線コネクタとが、ケーブルを介さずに、直接、プラグイン構造で接続される。また、従来、横一列に並んで装着されていた複数枚のカードが、半分ずつ、筐体の上下の棚に分けて装着されるので、横方向に隣り合うカードのプリント板間の空間が広くなり、従来のおよそ２倍になる。さらに、カードの前板、後板およびプリント板の反り防止部材が一体化されているので、カードプラ、プラグインコネクタおよび反り防止部材の取り付け位置の精度が高くなる。さらにまた、筐体の案内レールが各棚の上板および下板の一部により形成されているので、プリント板と上板および下板とを、従来のように案内レールの厚み分だけ離す必要がない。
【発明の効果】
【００２３】
本発明にかかるカード、筐体およびカード実装構造によれば、カードと筐体の外線コネクタとをプラグイン構造で接続できるので、短時間で容易に装置を組み立てることができるという効果を奏する。また、隣り合うカード間の空間が広くなるので、従来よりも放熱性に優れ、稼働時の装置内の温度上昇を抑えることができるという効果を奏する。さらに、プリント板と筐体の上板および下板との間に案内レールの厚み分の空間を設ける必要がないので、装置の小型化を図ることができるという効果を奏する。さらにまた、カードプラ、プラグインコネクタおよび反り防止部材の取り付け位置の精度が高くなるので、安価で高品質な製品を提供できるという効果を奏する。
【発明を実施するための最良の形態】
【００２４】
以下に添付図面を参照して、この発明にかかるカード、筐体およびカード実装構造の好適な実施の形態を詳細に説明する。
【００２５】
（装置の構成）
図１は、この発明の実施の形態にかかるカード実装構造を適用した装置を示す外観図である。図１に示すように、この装置では、筐体２１に上下２段の棚２２，２３が設けられている。各段の棚２２，２３は、同様の構成のカード２４を例えば６枚ずつ装着できるようになっている。例えば、装置が携帯電話の基地局装置である場合には、各カード２４は、基地局として移動端末と無線送受信を行う機能を有する。また、各段の棚２２，２３には、電源系などの通信機能以外のカード２５やアースの接続部２６なども設けられている。
【００２６】
（筐体の構成）
図２および図３は、それぞれ、この発明の実施の形態にかかる筐体を前面開口部側および背面から見た外観図である。図２に示すように、筐体２１は、上段の棚２２を構成する第１の上板３１および第１の下板３２と、下段の棚２３を構成する第２の上板（図２では、第１の下板３２に隠れて見えない）および第２の下板３４と、これら第１の上板３１、第１の下板３２、第２の上板および第２の下板３４の各両端を支持する一対の側板３５，３６を備えている。
【００２７】
また、図３に示すように、装置の背面は、背面板３７により塞がれている。従来同様、外線コネクタ３８は、カード１枚当たり２個ずつ、背面板３７に露出して設けられている。バックボード３９は、筐体２１内の背面板３７のすぐ近くに設けられている。なお、第１の上板３１、第１の下板３２、第２の上板および第２の下板３４には、放熱のための開口部と、後述する案内レールが設けられているが、図２および図３では、図が繁雑になるのを避けるため、それらを省略している。
【００２８】
筐体２１の主要な構成部品、例えば第１の上板３１、第１の下板３２、第２の上板３３、第２の下板３４、側板３５，３６および背面板３７は、特に限定しないが、例えばステンレスでできている。筐体２１に装着される各カードの接地端子をこれらの構成部品に電気的に接続し、前記アースの接続部２６を介して筐体２１をアースに接続することにより、装置のアースをとることができる。また、筐体２１がステンレス製である場合には、筐体２１を塗装する必要がない。
【００２９】
図４は、この発明の実施の形態にかかる筐体の一部を示す正面断面図であり、案内レールを横切る断面を示す図である。図４に示すように、第１の上板３１に設けられた案内レール４０は、第１の上板３１の一部を、縦断面形状が逆Ｕ字状をなすように下向きに折り曲げることにより形成されている。第１の下板３２に設けられた案内レール４１は、第１の下板３２の一部を、縦断面形状がＵ字状をなすように上向きに折り曲げることにより形成されている。
【００３０】
第２の上板３３に設けられた案内レール４２、および第２の下板３４に設けられた案内レール４３も、同様である。カード２４（厳密には、カード２４のプリント板）は、上段の棚２２の相対峙する案内レール４０，４１の間、または下段の棚２３の相対峙する案内レール４２，４３の間に、筐体２１の前面開口部側から差し込まれる。
【００３１】
図５は、この発明の実施の形態にかかる筐体の一部を示す正面図である。図６は、この発明の実施の形態にかかる筐体の要部を示す斜視図である。図５に示すように、位置決めガイド４４，４５，４６，４７が、第１の上板３１、第１の下板３２、第２の上板３３および第２の下板３４の前端部にそれぞれ設けられている。位置決めガイド４４，４５，４６，４７は、案内レール４０，４１，４２，４３の延長上に位置しており、筐体２１の前面開口部からカード２４を挿入する際に、カード２４のプリント板の挿入位置を決めるものである。
【００３２】
図６に示すように、案内レール４０，４１，４２，４３は、第１の上板３１、第１の下板３２、第２の上板３３および第２の下板３４の前端部から離れているが、位置決めガイド４４，４５，４６，４７に合わせてカード２４を挿入することにより、容易にカード２４が案内レール４０，４１，４２，４３の間に差し込まれる。なお、図６には、第１の下板３２の案内レール４１と位置決めガイド４５が示されているが、第１の上板３１の案内レール４０と位置決めガイド４４、第２の上板３３の案内レール４２と位置決めガイド４６、および第２の下板３４の案内レール４３と位置決めガイド４７についても同様である。
【００３３】
図６において、符号４８および符号４９は、放熱性を良くするために第１の下板３２に設けられた開口部である。第１の上板３１、第２の上板３３および第２の下板３４にも、同様の開口部が設けられている。また、図４および図５に示すように、バックボード３９には、接続用貫通孔５０、位置決め用貫通孔５１およびカード接続用コネクタ５２が設けられている。
【００３４】
接続用貫通孔５０は、カード２４の後端から突出するプラグインコネクタを通す孔であり、外線コネクタ３８に対応する位置に設けられている。図４および図５において、接続用貫通孔５０の中の符号５３で示す二重丸のものは、接続用貫通孔５０を通して見える外線コネクタ３８の、筐体２１内に露出する部分であり、ここにカード２４のプラグインコネクタが接続される。位置決め用貫通孔５１は、カード２４の後端から突出するガイドピンを通す孔である。カード接続用コネクタ５２は、カード２４の後端に設けられたバックボード接続用コネクタに接続される。カード２４の構成については、次に説明する。
【００３５】
（カードの構成）
図７および図８は、この発明の実施の形態にかかるカードを示す斜視図であり、それぞれ、前側および後側から見た図である。図７および図８に示すように、カード２４は、プリント板６１、前板６２、後板６３、反り防止部材６４、カードプラ６５、例えば２個のプラグインコネクタ６６，６７、ガイドピン６８およびバックボード接続用コネクタ６９を備えている。
【００３６】
プリント板６１には、配線パターンが形成されており、電子部品７０が取り付けられている。プリント板６１の高さ（短辺の長さ）は、図１１および図１２に示す従来構成のプリント板の高さのおよそ半分である。また、プリント板６１の長辺の長さは、従来構成のプリント板の長さよりも、プリント板の接続端子と外線コネクタとを接続するケーブルの配線スペースに相当する分だけ長い。実施の形態のプリント板６１では、この従来構成のプリント板よりも長い部分（Ａとする）にも、配線パターンが形成されており、電子部品７１が取り付けられている。
【００３７】
前板６２は、プリント板６１の前端に、プリント板６１に対して垂直に取り付けられている。カードプラ６５は、前板６２に取り付けられている。従来構成のプリント板では、カードプラはプリント板に取り付けられている。従って、実施の形態のプリント板６１では、従来構成のプリント板においてカードプラの取り付けスペースになっている部分（Ｂとする）にも、配線パターンが形成されており、電子部品７２が取り付けられている。このように、前記Ａの部分と前記Ｂの部分を回路形成領域として活用することによって、従来構成のプリント板のおよそ半分の高さでも、従来構成のプリント板における回路と同等の回路を形成することができる。
【００３８】
反り防止部材６４は、プリント板６１の下縁に沿って、プリント板６１の下縁から、筐体２１の下側の案内レール４１，４３が第１および第２の下板３２，３４から上側に突出する分だけ逃げた高さ位置のところに取り付けられている。反り防止部材６４の前端部は、折り曲げられて前板６２に固定されている。反り防止部材６４の後端部は、折り曲げられてプリント板６１に対して垂直な後板６３となり、プリント板６１の後端部に固定されている。
【００３９】
プリント板６１の近傍における後板６３の上端は、プリント板６１の上縁よりも、筐体２１の上側の案内レール４０，４２が第１および第２の上板３１，３３から下側に突出する分だけ低くなっている。このように、前板６２、後板６３および反り防止部材６４は一体化されている。なお、反り防止部材６４と後板６３が別体の構成となっていてもよい。
【００４０】
第１のプラグインコネクタ６６は、後板６３の上部の、プリント板６１に近い位置に取り付けられている。第２のプラグインコネクタ６７は、後板６３の、プリント板６１から離れた位置で、かつ第１のプラグインコネクタ６６と異なる高さ位置、例えば第１のプラグインコネクタ６６よりも低い位置に取り付けられている。
【００４１】
ガイドピン６８は、後板６３の、第１および第２のプラグインコネクタ６６，６７と干渉しない位置に取り付けられている。ガイドピン６８の、後板６３からの突出量は、第１および第２のプラグインコネクタ６６，６７の、後板６３からの突出量よりも、大きい。バックボード接続用コネクタ６９は、プリント板６１の後端部で、第１および第２のプラグインコネクタ６６，６７、並びにガイドピン６８と干渉しない位置に取り付けられている。
【００４２】
（カード実装構造）
図９は、この発明の実施の形態にかかるカード実装構造の要部を示す断面図である。図９に示すように、カード２４の第１および第２のプラグインコネクタ６６，６７は、バックボード３９の接続用貫通孔５０に通され、外線コネクタ３８の、筐体２１内に露出する部分５３に接続されている。このように、カード２４と外線コネクタ３８とが、従来構成のようなケーブルを介さずに、直接、プラグイン構造で接続されている。また、カード２４のガイドピン６８は、バックボード３９の位置決め用貫通孔５１に通されている。カード２４のバックボード接続用コネクタ６９は、バックボード３９のカード接続用コネクタ５２に接続されている。
【００４３】
カード２４の装着時には、位置決めガイド４７に従って筐体２１の前面開口部から挿入されたカード２４は、案内レール４０，４１，４２，４３に案内されて筐体２１の奥方へ至る。そして、まず、ガイドピン６８がバックボード３９の位置決め用貫通孔５１に入る。それによって、バックボード３９に対するカード２４の位置が微調整される。続いて、プラグインコネクタ６６，６７が、バックボード３９の接続用貫通孔５０に入り、外線コネクタ３８の、筐体２１内に露出する部分５３に接続されるとともに、バックボード接続用コネクタ６９がカード接続用コネクタ５２に接続される。
【００４４】
図１０は、この発明の実施の形態にかかるカード実装構造の概略を示す模式図であり、装置の背面側から見た図である。図１０に示すように、この実施の形態においても、図１１に示す従来構成と同様に、外線コネクタ３８は千鳥状に配置され、従来構成の説明においてｘ、ｙおよびｚとした外線コネクタ３８間の各距離が確保されている。ただし、従来構成の第１および第２の上外線コネクタ（図１１の４ａ，４ｃ）にそれぞれ相当する外線コネクタ３８ａ，３８ｃが、上段の棚２２に装着されるカード用である。
【００４５】
また、従来構成の第１および第２の下外線コネクタ（図１１の４ｂ，４ｄ）にそれぞれ相当する外線コネクタ３８ｂ，３８ｄが、下段の棚２３に装着されるカード用である。従って、上段の棚２２であっても下段の棚２３であっても、また各棚２２，２３のいずれの位置であっても、カード２４に対する２個の外線コネクタ３８の位置は同じになる。図１１および図１２に示す従来構成では、カードの装着位置によってカードに対する２個の外線コネクタの高さ位置が異なるため、カードと外線コネクタをケーブルを介して接続しなければならなかったが、実施の形態では、ケーブルを介さずに、直接、接続することができる。
【００４６】
実施の形態では、カード２４が上下の棚２２，２３に６枚ずつ装着されるので、各カード２４の収納空間８１の幅は、従来構成のカード収納空間の幅のおよそ２倍となる。つまり、実施の形態の装置では、横方向に隣り合うプリント板の間隔が、従来構成の装置におけるプリント板の間隔のおよそ２倍となる。従って、実施の形態の装置は、従来構成の装置と比べて、放熱性に優れる。なお、図１０には、上下の各棚２２，２３で、横方向に隣り合う各カードの収納空間８１が仮想線（二点鎖線）で区切られて示されているが、実際には、横方向に隣り合う収納空間８１の間に仕切り板があるわけではない。
【００４７】
実際に、１２枚のカードを６枚ずつ２段構成で並べた実施の形態にかかる装置と、１２枚のカードを１段構成で並べた従来構成の装置とで、装置内の温度変化のシミュレーションを行い、比較した。その際、カードの回路構成、放熱性に大きな影響を与える筐体の開口率、および通電量など、カードの配置以外の条件を同じにした。実施の形態の装置では、上段の棚の各部において２０〜２７℃の温度が上昇し、下段の棚の各部において１３〜１８℃の温度が上昇した。それに対して、従来構成の装置では、各部において３０〜３９℃の温度が上昇した。
【００４８】
以上説明したように、実施の形態によれば、カード２４と筐体２１の外線コネクタ３８とがプラグイン構造で接続されるので、短時間で容易に装置を組み立てることができるという効果を奏する。例えば、実施の形態にかかる装置の組み立て工数は、従来構成の装置の組み立て工数の１／１０程度になる。また、実施の形態によれば、従来構成よりも放熱性に優れるので、稼働時の装置内の温度上昇を抑えることができるという効果を奏する。
【００４９】
さらに、実施の形態によれば、カード２４の前板６２、後板６３および反り防止部材６４の一体化により、カードプラ６５、プラグインコネクタ６６，６７および反り防止部材６４の取り付け位置の精度が高くなるので、安価で高品質な製品を提供できるという効果を奏する。さらにまた、実施の形態によれば、プリント板６１と筐体２１の上板３１，３３および下板３２，３４との間に隙間がないので、装置の小型化を図ることができるという効果を奏する。
【００５０】
例えば、実施の形態にかかる装置の大きさは、プリント板６１と筐体２１の上板３１，３３および下板３２，３４との間に隙間がないことと、従来、プリント板の、回路パターンを形成できなかった領域（前記ＡおよびＢの部分）を有効に活用することにより、従来構成の装置の大きさの７５％程度になる。すなわち、従来に対して２５％程度、小型化することができる。
【００５１】
以上において本発明は、上述した実施の形態に限らず、種々変更可能である。例えば、筐体の格段に装着されるカードの数は、６枚に限らない。また、筐体の段数が３段以上であってもよい。さらに、カード１枚当たりのプラグインコネクタの数は、１個でもよいし、３個以上でもよい。
【００５２】
（付記１）配線パターンおよび電子部品を有するプリント板と、前記プリント板の前端に同プリント板に対して垂直に取り付けられた前板と、前記プリント板の後端に同プリント板に対して垂直に取り付けられた後板と前記プリント板の長辺に沿って取り付けられた反り防止部材と、を備え、前記反り防止部材の前端部および後端部がそれぞれ前記前板および前記後板に支持されており、筐体の外線コネクタにプラグイン構造で接続される複数のプラグインコネクタが前記後板に設けられていることを特徴とするカード。
【００５３】
（付記２）第１のプラグインコネクタは、前記後板の、前記プリント板に近い位置に設けられており、第２のプラグインコネクタは、前記後板の、前記プリント板から離れた位置で、かつ前記第１のプラグインコネクタと異なる高さ位置に設けられていることを特徴とする付記１に記載のカード。
【００５４】
（付記３）挿抜レバーが前記反り防止部材に取り付けられていることを特徴とする付記１または２に記載のカード。
【００５５】
（付記４）筐体のバックボードの位置決め用貫通孔に通されるガイドピンが前記後板に設けられていることを特徴とする付記１〜３のいずれか一つに記載のカード。
【００５６】
（付記５）筐体のバックボードに接続されるコネクタが前記プリント板の後端に設けられていることを特徴とする付記１〜４のいずれか一つに記載のカード。
【００５７】
（付記６）複数のカードを横一列に並べて収納する上段の棚を構成する第１の上板および第１の下板と、複数のカードを横一列に並べて収納する下段の棚を構成する第２の上板および第２の下板と、前記第１の上板、前記第１の下板、前記第２の上板および前記第２の下板の各両端を支持する一対の側板と、前記上段の棚および前記下段の棚の背面を塞ぐ背面板と、前記背面板に露出する複数の外線コネクタと、前記背面板の近くに配置されるバックボードと、を備え、カードの後端から突出して前記外線コネクタに接続されるプラグインコネクタを通す接続用貫通孔が前記バックボードに設けられていることを特徴とする筐体。
【００５８】
（付記７）前面開口部から棚内にカードを挿入する際の案内レールが、前記第１の上板、前記第１の下板、前記第２の上板および前記第２の下板のそれぞれ一部を折り曲げることにより形成されていることを特徴とする付記６に記載の筐体。
【００５９】
（付記８）前記上段の棚および前記下段の棚のそれぞれの前端部の、前記案内レールの延長上に、カードの挿入位置を決める位置決めガイドが設けられていることを特徴とする付記７に記載の筐体。
【００６０】
（付記９）カードの後端から突出するガイドピンを通す位置決め用貫通孔が前記バックボードに設けられていることを特徴とする付記６〜８のいずれか一つに記載の筐体。
【００６１】
（付記１０）カードに接続されるコネクタが前記バックボードに設けられていることを特徴とする付記６〜９のいずれか一つに記載の筐体。
【００６２】
（付記１１）前記側板、前記第１の上板、前記第１の下板、前記第２の上板および前記第２の下板はステンレスでできていることを特徴とする付記６〜１０のいずれか一つに記載の筐体。
【００６３】
（付記１２）前記側板、前記第１の上板、前記第１の下板、前記第２の上板または前記第２の下板を構成するステンレス部材がアースに接続されることを特徴とする付記１１に記載の筐体。
【００６４】
（付記１３）前記付記６〜８のいずれか一つに記載の筐体に前記付記１〜３のいずれか一つに記載のカードを装着したカード実装構造であって、前記カードのプラグインコネクタが、前記筐体のバックボードの接続用貫通孔を通って前記外線コネクタにプラグイン構造で接続されていることを特徴とするカード実装構造。
【００６５】
（付記１４）前記付記９に記載の筐体に前記付記４に記載のカードを装着したカード実装構造であって、前記カードのガイドピンが、前記筐体のバックボードの位置決め用貫通孔に通されているとともに、前記カードのプラグインコネクタが、前記筐体のバックボードの接続用貫通孔を通って前記外線コネクタにプラグイン構造で接続されていることを特徴とするカード実装構造。
【産業上の利用可能性】
【００６６】
以上のように、本発明にかかるカード、筐体およびカード実装構造は、筐体に複数のカードを着脱可能に実装する技術に有用であり、特に、無線通信用のカードが実装される無線通信機器に適している。
【図面の簡単な説明】
【００６７】
【図１】この発明の実施の形態にかかるカード実装構造を適用した装置を示す外観図である。
【図２】この発明の実施の形態にかかる筐体を前面開口部側から見た外観図である。
【図３】この発明の実施の形態にかかる筐体を背面側から見た外観図である。
【図４】この発明の実施の形態にかかる筐体の一部を示す正面断面図である。
【図５】この発明の実施の形態にかかる筐体の一部を示す正面図である。
【図６】この発明の実施の形態にかかる筐体の要部を示す斜視図である。
【図７】この発明の実施の形態にかかるカードを示す斜視図である。
【図８】この発明の実施の形態にかかるカードを示す斜視図である。
【図９】この発明の実施の形態にかかるカード実装構造の要部を示す断面図である。
【図１０】この発明の実施の形態にかかるカード実装構造の概略を示す模式図である。
【図１１】従来のカード実装構造の概略を示す模式図である。
【図１２】従来のカードの構造およびカードと外線コネクタとの接続構造の概略を示す模式図である。
【図１３】従来の筐体の要部を示す斜視図である。
【符号の説明】
【００６８】
２１  筐体
２２  上段の棚
２３  下段の棚
２４  カード
３１  第１の上板
３２  第１の下板
３３  第２の上板
３４  第２の下板
３５，３６  側板
３７  背面板
３８，３８ａ，３８ｂ，３８ｃ，３８ｄ  外線コネクタ
３９  バックボード
４０，４１，４２，４３  案内レール
４４，４５，４６，４７  位置決めガイド
５０  接続用貫通孔
５１  位置決め用貫通孔
５２  カード接続用コネクタ
６１  プリント板
６２  前板
６３  後板
６４  反り防止部材
６５  カードプラ
６６，６７  プラグインコネクタ
６８  ガイドピン
６９  バックボード接続用コネクタ
７０，７１，７２  電子部品
【図１】
2008047727.tif 000003
【図２】
2008047727.tif 000004
【図３】
2008047727.tif 000005
【図４】
2008047727.tif 000006
【図５】
2008047727.tif 000007
【図６】
2008047727.tif 000008
【図７】
2008047727.tif 000009
【図８】
2008047727.tif 000010
【図９】
2008047727.tif 000011
【図１０】
2008047727.tif 000012
【図１１】
2008047727.tif 000013
【図１２】
2008047727.tif 000014
【図１３】
2008047727.tif 000015